(57)【要約】【課題】吸収コアの外面側表面、横方向の両側の縁部及び縦方向の両側の端部からの排泄液の漏れを効果的に抑制できる吸収コア及び使い捨て吸収性物品を提供する。【解決手段】吸収コア１３の繊維集合体２１における外面側表面２１ｄ、横方向Ｘの両側の縁部２１ｂ，２１ｃ、縦方向Ｙの両側の端部２１ｅ，２１ｆ、及び、肌面側表面２１ａにおける中央部以外の部分が、撥水性不織布からなる第１シート体２２によって覆われている。繊維集合体２１の肌面側表面２１ａの中央部は、第２シート体２２よりも高い透液性を有する第２シート体２３によって覆われている。【選択図】図３
2010178916.tif 000002
【特許請求の範囲】
【請求項１】
着用者の股部に着用される使い捨て吸収性物品に備えられる吸収コアであって、
集合された繊維を少なくとも備えて構成された繊維集合体と、
撥水性不織布からなり、前記繊維集合体における外面側を向いた外面側表面、横方向の両側の縁部、縦方向の両側の端部、及び、肌面側を向いた肌面側表面における中央部以外の部分を覆う第１シート体と、
を備えることを特徴とする吸収コア。
【請求項２】
請求項１に記載の吸収コアにおいて、
前記第１シート体の前記横方向の両側の部分が、前記繊維集合体の前記外面側から前記横方向の両側の縁部を経て前記肌面側に巻き上げられ、該横方向の両側の部分における前記縦方向に対する両側の部分が、前記繊維集合体の前記肌面側で互いに重ね合わされ、
前記第１シート体の前記縦方向の両側の端部が前記繊維集合体の前記縦方向外方に張り出すとともに、該縦方向の両側の端部における前記繊維集合体の前記肌面側に位置する部分と、前記繊維集合体の前記外面側に位置する部分とが接合されていることを特徴とする吸収コア。
【請求項３】
請求項１又は請求項２に記載の吸収コアにおいて、
前記第１シート体よりも高い透液性を有し、前記繊維集合体の前記肌面側表面における前記第１シート体で覆われていない部分である前記中央部を覆う第２シート体をさらに備えることを特徴とする吸収コア。
【請求項４】
請求項３に記載の吸収コアにおいて、
前記第２シート体は、ティッシュペーパーであることを特徴とする吸収コア。
【請求項５】
請求項３に記載の吸収コアにおいて、
前記第２シート体は、親水性不織布であることを特徴とする吸収コア。
【請求項６】
請求項１ないし請求項５のいずれかに記載の吸収コアにおいて、
前記第１シート体の色が、当該吸収コアにおける前記第１シート体で覆われていない部分である肌面側の中央部の色と異なっていることを特徴とする吸収コア。
【請求項７】
着用者の股部に着用される使い捨て吸収性物品であって、
請求項１ないし請求項６のいずれかに記載された前記吸収コアと、
少なくとも一部の部分が透液性を有し、前記吸収コアの前記肌面側に配置された内装材と、
不透液性を有し、前記吸収コアの前記外面側に配置された外装材と、
を備えることを特徴とする使い捨て吸収性物品。
【発明の詳細な説明】
【技術分野】
【０００１】
本発明は、着用者の股部に着用される使い捨て吸収性物品に備えられる吸収コア及び使い捨て吸収性物品に関する。
【背景技術】
【０００２】
この種の従来の吸収コアは、集合された繊維等からなる繊維集合体をティッシュペーパーで包んで構成されている。ティッシュペーパーは透液性に優れているため、尿等の排泄液がティッシュペーパーを介して吸収コア内に迅速に取り込まれるという利点がある。しかし、従来の吸収コアでは、吸収コアの肌面側表面だけでなく吸収コアの外面側表面、及び吸収コアの横方向の両側の縁部についても、包装材にティッシュペーパーが用いられるため、吸収コア内に取り込まれた排泄液が吸収コアの外面側表面、及び横方向の両側の縁部のティッシュペーパーを介して外部に漏れやすいという問題がある。
【０００３】
また、従来の吸収コアでは、繊維集合体を包んでいるティッシュペーパーにおける吸収コアの縦方向の両側の端部が開放したままの状態であるため、吸収コア内に取り込まれた排泄液が吸収コアの縦方向の両側の端部におけるティッシュペーパーの開口部を介して外部に漏れるという問題がある。
【０００４】
例えば、特許文献１に記載の使い捨て吸収性物品のような構成では、吸収コアが、透液性のトップシート及び不透液性の左右のサイドシートを有する内装材と、バックシート等を有する不透液性の外装材との間に配置されている。このような構成では、サイドシートに防水機能を有する撥水性不織布が用いられる場合が多いため、撥水性不織布の防水機能は完全なものではなく、圧力が加わった場合又は排泄液に長時間晒された場合等には、排泄液が撥水性不織布を透過する場合がある。このため、吸収コアの外面側表面及び横方向の両側の縁部のティッシュペーパーを介して吸収コアの外部に漏れた排泄液、あるいは、吸収コアの縦方向の両側の端部におけるティッシュペーパーの開口部を介して外部に漏れた排泄液が、サイドシートを介して使い捨て吸収性物品の外部に漏れるおそれがある。
【先行技術文献】
【特許文献】
【０００５】
【特許文献１】特開２００８−２５９７６６号公報
【発明の概要】
【発明が解決しようとする課題】
【０００６】
そこで、本発明の解決すべき課題は、吸収コアの外面側表面、横方向の両側の縁部及び縦方向の両側の端部からの排泄液の漏れを効果的に抑制できる吸収コア及び使い捨て吸収性物品を提供することである。
【課題を解決するための手段】
【０００７】
上記の課題を解決するため、請求項１の発明では、着用者の股部に着用される使い捨て吸収性物品に備えられる吸収コアであって、集合された繊維を少なくとも備えて構成された繊維集合体と、撥水性不織布からなり、前記繊維集合体における外面側を向いた外面側表面、横方向の両側の縁部、縦方向の両側の端部、及び、肌面側を向いた肌面側表面における中央部以外の部分を覆う第１シート体とを備える。
【０００８】
また、請求項２の発明では、請求項１の発明に係る吸収コアにおいて、前記第１シート体の前記横方向の両側の部分が、前記繊維集合体の前記外面側から前記横方向の両側の縁部を経て前記肌面側に巻き上げられ、該横方向の両側の部分における前記縦方向に対する両側の部分が、前記繊維集合体の前記肌面側で互いに重ね合わされ、前記第１シート体の前記縦方向の両側の端部が前記繊維集合体の前記縦方向外方に張り出すとともに、該縦方向の両側の端部における前記繊維集合体の前記肌面側に位置する部分と、前記繊維集合体の前記外面側に位置する部分とが接合されている。
【０００９】
また、請求項３の発明では、請求項１又は請求項２の発明に係る吸収コアにおいて、前記第１シート体よりも高い透液性を有し、前記繊維集合体の前記肌面側表面における前記第１シート体で覆われていない部分である前記中央部を覆う第２シート体をさらに備える。
【００１０】
また、請求項４の発明では、請求項３の発明に係る吸収コアにおいて、前記第２シート体は、ティッシュペーパーである。
【００１１】
また、請求項５の発明では、請求項３の発明に係る吸収コアにおいて、前記第２シート体は、親水性不織布である。
【００１２】
また、請求項６の発明では、請求項１ないし請求項５のいずれかの発明に係る吸収コアにおいて、前記第１シート体の色が、当該吸収コアにおける前記第１シート体で覆われていない部分である肌面側の中央部の色と異なっている。
【００１３】
また、請求項７の発明では、着用者の股部に着用される使い捨て吸収性物品であって、請求項１ないし請求項６のいずれかに記載された前記吸収コアと、少なくとも一部の部分が透液性を有し、前記吸収コアの前記肌面側に配置された内装材と、不透液性を有し、前記吸収コアの前記外面側に配置された外装材とを備える。
【発明の効果】
【００１４】
請求項１に記載の発明に係る吸収コアによれば、集合された繊維を少なくとも備えて構成された繊維集合体における外面側を向いた外面側表面、横方向の両側の縁部、縦方向の両側の端部、及び、肌面側を向いた肌面側表面における中央部以外の部分が、撥水性不織布からなる第１シート体によって覆われている。このため、第１シート体によって、吸収コアの外面側表面、横方向の両側の縁部、及び縦方向の両側の端部からの排泄液の漏れを効果的に抑制できる。その結果、本発明に係る吸収コアが使い捨て吸収性物品に備えられた場合に、吸収コアの外面側表面、横方向の両側の縁部及び縦方向の両側の端部から漏れた排泄液が使い捨て吸収性物品の外部に漏れる等の不都合を効果的に抑制できる。
【００１５】
また、繊維集合体の表面のうちの肌面側表面の中央部以外の部分が第１シート体によって覆われているため、着用者が排泄した尿等の排泄液の吸収コア内への受け入れが第１シート体によって阻害されることなく迅速に行われるとともに、第１シート体によって繊維集合体を保護できる。
【００１６】
請求項２に記載の発明によれば、第１シート体の横方向の両側の部分が、繊維集合体の外面側から横方向の両側の縁部を経て前記肌面側に巻き上げられ、該横方向の両側の部分における縦方向に対する両側の部分が、繊維集合体の肌面側で互いに重ね合わされている。さらに、第１シート体の縦方向の両側の端部が繊維集合体の縦方向外方に張り出すとともに、該縦方向の両側の端部における繊維集合体の肌面側に位置する部分と、繊維集合体の外面側に位置する部分とが接合されている。このため、第１シート体を１枚の連続したシートによって構成することができ、吸収コアの製造工程の簡略化及び低コスト化が図れる。
【００１７】
また、第１シート体の縦方向の両側の端部が繊維集合体の縦方向外方に張り出すとともに、該縦方向の両側の端部における繊維集合体の肌面側に位置する部分と、繊維集合体の外面側に位置する部分とが接合されているため、第１シート体によって、吸収コアの縦方向の両側の端部からの排泄液の漏れをさらに効果的に抑制できる。
【００１８】
請求項３に記載の発明によれば、繊維集合体の肌面側表面における第１シート体で覆われていない部分である中央部が、第２シート体によって覆われているため、第１シート体及び第２シート体によって繊維集合体の表面の全体を覆うことができ、繊維集合体を確実に保護できる。
【００１９】
また、繊維集合体の肌面側表面における中央部を覆う第２シート体が、第１シート体よりも高い透液性を有しているため、着用者が排泄した尿等の排泄液の吸収コア内への受け入れが第２シート体によって阻害されることなく迅速に行われる。
【００２０】
請求項４に記載の発明によれば、ティッシュペーパーは透液性に優れるため、第２シート体にティッシュペーパーを用いることにより、着用者が排泄した尿等の排泄液を、第２シート体を介して迅速に吸収コア内に取り込んで繊維集合体に吸収させることができる。
【００２１】
また、ティッシュペーパーは材料コストが安価であるため、吸収コアの製造コストを抑制できる。
【００２２】
請求項５に記載の発明によれば、親水性不織布は破れにくく強度が高いため、第２シート体に親水性不織布を用いることにより、第２シート体の破損等を防止できる。
【００２３】
請求項６に記載の発明によれば、第１シート体の色が、吸収コアにおける第１シート体で覆われていない部分である肌面側の中央部の色と異なっているため、この吸収コアが備えられた使い捨て吸収性物品を肌面側から見たときに、吸収コアの肌面側における第１シート体で覆われた部分と第１シート体で覆われていない中央部とを色の違いにより容易に認識できる。その結果、使い捨て吸収性物品を着用者の股部に装着する際に、使い捨て吸収性物品における吸収コアの中央部を着用者の陰部等の排泄部に対して容易に位置合わせできる。
【００２４】
請求項７に記載の発明によれば、尿等の排泄液が吸収コアの外面側表面、横方向の両側の縁部、及び縦方向の両側の端部から漏れるのが効果的に抑制されているため、排泄液の漏れ防止機能に優れた使い捨て吸収性物品を提供できる。
【図面の簡単な説明】
【００２５】
【図１】本発明の一実施形態に係る使い捨て吸収性物品としての使い捨ておむつの平面図である。
【図２】図１の使い捨ておむつのＡ１−Ａ１線に沿った断面の構成を模式的に示す図である。
【図３】図１の使い捨ておむつに備えられる吸収コアの平面図である。
【図４】図３の吸収コアのＡ２−Ａ２線に沿った断面の構成を模式的に示す図である。
【図５】図３の吸収コアのＡ３−Ａ３線に沿った断面の構成を模式的に示す図である。
【図６】図３の吸収コアに用いられる第１シート体の展開図である。
【図７】図３の吸収コアの変形例を示す図である。
【図８】図３の吸収コアの他の変形例を示す図である。
【図９】図８の吸収コアに用いられる第１シート体の展開図である。
【発明を実施するための形態】
【００２６】
図１は本発明の一実施形態に係る使い捨て吸収性物品としての使い捨ておむつ（以下、単に「おむつ」という）の平面図であり、図２は図１のおむつのＡ１−Ａ１線に沿った断面の構成を模式的に示す図であり、図３は図１のおむつに備えられる吸収コアの平面図であり、図４は図３の吸収コアのＡ２−Ａ２線に沿った断面の構成を模式的に示す図であり、図５は図３の吸収コアのＡ３−Ａ３線に沿った断面の構成を模式的に示す図であり、図６は図３の吸収コアに用いられる第１シート体の展開図である。なお、図１におけるＡ１−Ａ１線で示す位置は、図３におけるＡ４−Ａ４線で示す位置に対応している。また、図１ないし図６及び後述する他の図において、横方向Ｘは着用者の左右方向に対応しており、縦方向Ｙは着用者の前後又は上下方向に対応している。また、図１に示すおむつ１の構成において、図１の図面上における上側がおむつ１の前側に対応している。
【００２７】
本実施形態に係るおむつ１は、テープ型又はパンツ型のおむつ等の股部の内側に敷き込まれて用いられるものである。このおむつ１をテープ型又はパンツ型のおむつ等の股部に敷き込むことにより、おむつの吸液容量が補強され、多量の尿が排尿された場合又は多量の水分を含んだ軟便が排便された場合に対応できるようになる。また、通常又は比較的少量の排尿又は排便がされた場合には、テープ型又はパンツ型のおむつの内側に敷き込んでいるおむつ１のみを交換すれば、外側のおむつはそのまま継続して使用できるという利点もある。なお、テープ型のおむつとは、おむつの後縁部の左右両側等に面ファスナー等の止着部材が設けられたタイプのおむつであり、パンツ型のおむつとは、左右の脚穴と腰穴を有し、左右の脚穴に着用者の脚を通して装着するタイプのおむつである。
【００２８】
このおむつ１は、図１及び図２に示すように、少なくとも一部が透液性を有し、肌面側に配置される内装材１１と、不透液性を有し、外面側に配置される外装材１２と、内装材１１と外装材１２との間に配置され、着用者が排泄した排泄液（例えば、尿又は便に含まれる水分等）を吸収する吸収コア１３とを備えている。
【００２９】
内装材１１は、表面シートとしてのトップシート１６、及び左右のサイドシート１７等を備えている。トップシート１６は、おむつ１の肌面側における横方向Ｘの中央部に、縦方向Ｙに沿って配置されている。左右のサイドシート１７は、トップシート１６の左右の縁部に肌面側から重なるように、縦方向Ｙに沿って配置されている。トップシート１６は、透液性の合成繊維製不織布又は織布で形成される。サイドシート１７は、撥水性不織布等により形成される。
【００３０】
また、サイドシート１７の横方向Ｘの内方側の端部には糸状の弾性部材１８が伸張された状態で付与されている。この弾性部材１８の収縮によってサイドシート１７の一部が肌面側に向かって立ち上がり、立体ギャザーとして機能する。この立体ギャザーにより排泄物の横漏れが防止される。なお、この弾性部材１８を含む立体ギャザーは省略してもよい。
【００３１】
外装材１２は、バックシート１９によって構成される。バックシート１９は、不透液性の素材が好ましく、撥水性を有する合成繊維製不織布、ポリエチレン等の合成樹脂製フィルム（不透液性でかつ通気性を有するフィルムが好ましい）、又はそれらが貼り合わされてなる複合シートが用いられる。
【００３２】
吸収コア１３は、図２ないし図５に示すように、集合された繊維を少なくとも備えて構成された繊維集合体２１と、繊維集合体２１を包み込む包装材としての第１及び第２シート体２２，２３とを備えている。好ましくは、繊維集合体２１には、繊維集合体２１に混入又は散布された吸収性樹脂粉末が含まれる。なお、吸収コア１３の構成要素のうち、吸収性樹脂粉末及び第２シート体２３については省略してもよい。
【００３３】
繊維集合体２１に用いられる繊維としては、主に解繊パルプ繊維又はセルロース繊維が用いられ、必要に応じて熱融着性繊維等を混合してもよい。繊維集合体２１は、マット状の形態を有し、肌面側を向いた肌面側表面２１ａ、横方向Ｘの両側の縁部２１ｂ，２１ｃ、外面側を向いた外面側表面２１ｄ、及び、縦方向Ｙの両側の端部２１ｅ，２１ｆを有している。
【００３４】
第１シート体２２は、撥水性不織布からなり、繊維集合体２１の外面側表面２１ｄ、横方向Ｘの両側の縁部２１ｂ，２１ｃ、縦方向Ｙの両側の端部２１ｅ，２１ｆ、及び、肌面側表面２１ａにおける中央部以外の部分を覆っている。
【００３５】
本実施形態では、第１シート体２２は、展開された状態では図６に示すように、略矩形状のシートの互いに対向する辺における中間部が内方側に凹状に切り取られたような平面形状を有している。具体的には、第１シート体２２の横方向Ｘの両側の部分２２１，２２２における縦方向Ｙの中間部に、横方向Ｘ内方側に向けて凹状に切り取られてなる切欠部２２１ａ，２２２ａが形成されている。
【００３６】
そして、その第１シート体２２における両側の部分２２１，２２２は、図２及び図４に示すように、繊維集合体２１の外面側から横方向Ｘの両側の縁部２１ｂ，２１ｃを経て肌面側に巻き上げられている。さらに、図４に示すように、部分２２１における縦方向Ｙに対して切欠部２２２ａの両側の部分２２１ｂ，２２１ｃと、部分２２２における縦方向Ｙに対して切欠部２２１ａの両側の部分２２２ｂ，２２２ｃとが、繊維集合体２１の肌面側で互いに重ね合わされている。なお、本実施形態では、この互いに重ね合わされた部分２２１ｂ，２２１ｃと部分２２１ｂ，２２１ｃとの積極的な固定は行っていないが、部分２２１ｂ，２２１ｃと部分２２１ｂ，２２１ｃとを接着剤（例えば、ホットメルト接着剤）等の接合手段を用いて固定してもよい。
【００３７】
このように、第１シート体２２の切欠部２２１ａ，２２２ａが有する横方向Ｘの両側の部分２２１，２２２が繊維集合体２１の外面側から横方向Ｘの両側の縁部２１ｂ，２１ｃを経て肌面側に巻き上げられることにより、繊維集合体２１の肌面側表面２１ａにおける第１シート体２２の切欠部２２１ａ，２２２ａに対応する部分（肌面側表面２１ａの中央部）に、第１シート体２２によって形成された袋状の構造の開口部２２３が形成される。
【００３８】
また、本実施形態では、第１シート体２２の縦方向Ｙの寸法は繊維集合体２１の縦方向Ｙの寸法よりも大きく、第１シート体２２によって繊維集合体２１を包んだときに、第１シート体２２の縦方向Ｙの両側の端部２２４が、繊維集合体２１の端部２１ｅ，２１ｆの縦方向Ｙ外方に張り出している。そして、図５に示すように、その縦方向Ｙの両側の端部２２４における繊維集合体の肌面側に位置する部分２２４ａと、繊維集合体２１の外面側に位置する部分２２４ｂとが、接着剤（例えば、ホットメルト接着剤）、加熱溶着又は超音波溶着等の接合手段によって接合されている（本実施形態では、接合手段として例えばホットメルト接着剤が用いられている）。なお、本実施形態では、第１シート体２２の端部２２４における部分２２４ａと部分２２４ｂとの間には、第２シート体２３の縦方向Ｙの両側の端部２３ａが介在するため、部分２２４ａと部分２２４ｂとが第２シート体２３を挟み込んだ状態で接合されている。なお、変形例として、第２シート体２３の縦方向Ｙの寸法を第１シート体２２の縦方向Ｙの寸法よりも小さくし、第２シート体２３の縦方向Ｙの両側の端部２３ａが部分２２４ａと部分２２４ｂの接合部よりも縦方向Ｙの内側に位置するようにしてもよい。
【００３９】
第２シート体２３は、第１シート体２２よりも高い透液性を有し、繊維集合体２１の肌面側に第１シート体２２の開口部２２３を第１シート体２２の外面側から塞ぐように配置されている。すなわち、第２シート体２３は、繊維集合体２１の肌面側表面２１ａにおける第１シート体２２によって覆われていない部分である中央部を覆っている。第２シート体２３の寸法及び平面形状については、第１シート体２２の開口部２２３を閉鎖可能な寸法及び平面形状であればよい。この点について、本実施形態では、第２シート体２３は略矩形の平面形状を有している。そして、第２シート体２３の縦方向Ｙの寸法は繊維集合体２１の縦方向Ｙの寸法よりもやや大きい値である第１シート体２２の縦方向Ｙの寸法と一致し、第２シート体２３の横方向Ｘの寸法は繊維集合体２１の横方向Ｘの寸法よりもやや小さい。
【００４０】
なお、本実施形態では、繊維集合体２１の肌面側における第１シート体２２と第２シート体２３とが重なり合っている部分（例えば、開口部２２３の外周部）について、両シート体２２，２３同士の積極的な固定は行っていないが、両シート体２２，２３同士を接着剤（例えば、ホットメルト接着剤）等の接合手段を用いて固定してもよい。
【００４１】
第２シート体２３の素材としては、ティッシュペーパー又は親水性不織布が用いられる。親水性不織布としては、親水性を有する不織布材料により形成された不織布が用いられる場合と、撥水性を有する不織布材料により形成された不織布に対して親水性を持たせるための処理を施して得られた不織布が用いられる場合とがある。
【００４２】
また、本実施形態では、繊維集合体２１の平面形状としては、図３に示すように略長方形型が採用されている。変形例として、繊維集合体２１の平面形状を図７に示すように砂時計型にしてもよい。この図７に示す構成では、繊維集合体２１の縦方向Ｙの略中央部（着用者の股下に対応する部分）に横方向Ｘの幅が狭くなった左右の括れ部２６ａ，２６ｂが形成される。なお、繊維集合体２１の平面形状の他の例としては、略楕円型等の種々の形状が採用可能である。
【００４３】
図７に示す構成の場合、繊維集合体２１の括れ部２６ａ，２６ｂに対応する第１シート体２２（あるいは、第１及び第２シート体２２，２３）の部分２７ａ，２７ｂには繊維集合体２１が存在しないこととなるが、この部分２７ａ，２７ｂについては、図７に示すようにそのまま残しておいてもよいし、図８に示すように繊維集合体２１の括れ部２６ａ，２６ｂの外形に沿って切除してもよい。
【００４４】
但し、部分２７ａ，２７ｂを切除した場合には、切除によって生じた第１シート体２２の開口部を接着剤（例えば、ホットメルト接着剤）等の接合手段により接合して塞ぐのが好ましい。この場合、第１シート体２２の部分２７ａ，２７ｂの切除は第１シート体２２によって繊維集合体２１を包み込んだ後で行ってもよいし、あるいは、第１シート体２２によって繊維集合体２１を包み込む前に、図９に示すように第１シート体２２の部分２７ａ，２７ｂに対応する部分を予め切除して切除部２８ａ，２８ｂを設けておいてもよい。
【００４５】
また、本実施形態では、吸収コア１３の第１シート体２２の色が、吸収コア１３における第１シート体２２で覆われていない部分である肌面側の中央部の色と異なっている。この吸収コア１３における第１シート体２２で覆われていない部分である肌面側の中央部の色は、例えば、第２シート体２３の色、あるいは、第２シート体２３を透して繊維集合体２１が透けて見える場合には繊維集合体２１の色（又は、第２シート体２３の色と繊維集合体２１の色との混合色）によって決定される。なお、本実施形態では、内装材１１を構成するトップシート１６及びサイドシート１７が光を透過するようになっており、吸収コア１３の肌面側の色が、内装材１１を介して視認可能になっている。
【００４６】
以上のように、本実施形態に係るおむつ１によれば、吸収コア１３の繊維集合体２１における外面側表面２１ｄ、横方向Ｘの両側の縁部２１ｂ，２１ｃ、縦方向Ｙの両側の端部２１ｅ，２１ｆ、及び、肌面側表面２１ａにおける中央部以外の部分が、撥水性不織布からなる第１シート体２２によって覆われている。このため、第１シート体２２によって、吸収コア１３の外面側表面、横方向Ｘの両側の縁部、及び縦方向Ｙの両側の端部からの排泄液の漏れを効果的に抑制できる。その結果、吸収コア１３の外面側表面、横方向Ｘの両側の縁部、及び縦方向Ｙの両側の端部から漏れた排泄液がおむつ１の外部に漏れる等の不都合を効果的に抑制できる。
【００４７】
また、繊維集合体２１の表面のうちの肌面側表面２１ａの中央部以外の部分が第１シート体２２によって覆われているため、着用者が排泄した尿等の排泄液の吸収コア１３内への受け入れが第１シート体２２によって阻害されることなく迅速に行われるとともに、第１シート体２２によって繊維集合体２１を保護できる。
【００４８】
また、第１シート体２２の横方向Ｘの両側の部分２２１，２２２における縦方向Ｙの中間部に切欠部２２１ａ，２２２ａが形成され、その部分２２１，２２２が、繊維集合体２１の外面側から横方向Ｘの両側の縁部２１ｂ，２１ｃを経て肌面側に巻き上げられている。そして、その部分２２１における縦方向Ｙに対して切欠部２２２ａの両側の部分２２１ｂ，２２１ｃと、部分２２２における縦方向Ｙに対して切欠部２２１ａの両側の部分２２２ｂ，２２２ｃとが、繊維集合体２１の肌面側で互いに重ね合わされている。さらに、第１シート体２２の縦方向Ｙの両側の端部２２４が、繊維集合体２１の端部２１ｅ，２１ｆの縦方向Ｙ外方に張り出しており、その端部２２４における繊維集合体の肌面側に位置する部分２２４ａと、繊維集合体２１の外面側に位置する部分２２４ｂとが接合手段によって接合されている。このため、第１シート体２２を１枚の連続したシートによって構成することができ、吸収コア１３の製造工程の簡略化及び低コスト化が図れる。
【００４９】
また、第１シート体２２の縦方向Ｙの両側の端部２２４が、繊維集合体２１の端部２１ｅ，２１ｆの縦方向Ｙ外方に張り出しており、その端部２２４における繊維集合体の肌面側に位置する部分２２４ａと、繊維集合体２１の外面側に位置する部分２２４ｂとが接合されているため、第１シート体２２によって、吸収コア１３の縦方向Ｙの両側の端部からの排泄液の漏れをさらに効果的に抑制できる。
【００５０】
また、吸収コア１３の肌面側において第１シート体２２によって形成された袋構造の開口部２２３を塞ぐように第１シート体２３が配置されているため、第１シート体２２及び第２シート体２３によって繊維集合体２１の表面の全体を覆うことができ、繊維集合体２１を確実に保護できる。
【００５１】
また、繊維集合体２１の肌面側表面２１ａにおける中央部を覆う第２シート体２３が、第１シート体２２よりも高い透液性を有しているため、着用者が排泄した尿等の排泄液の吸収コア２１内への受け入れが第２シート体２３によって阻害されることなく迅速に行われる。
【００５２】
また、第２シート体２３にティッシュペーパーを用いた場合には、ティッシュペーパーは透液性に優れるため、着用者が排泄した尿等の排泄液を、第２シート体２３を介して迅速に吸収コア内に取り込んで繊維集合体に吸収させることができる。さらに、ティッシュペーパーは材料コストが安価であるため、吸収コア１３及びおむつ１の製造コストを抑制できる。
【００５３】
また、第２シート体２３に親水性不織布を用いた場合には、親水性不織布は破れにくく強度が高いため、第２シート体２３の破損等を防止できる。
【００５４】
また、吸収コア１３の第１シート体２２の色が、吸収コア１３における第１シート体２２で覆われていない部分である肌面側の中央部の色と異なっているため、おむつ１を肌面側から見たときに、吸収コア１３の肌面側における第１シート体２２で覆われた部分と第１シート体２２で覆われていない中央部とを色の違いにより容易に認識できる。その結果、おむつ１を着用者の股部に装着する際に、おむつ１における吸収コア１３の中央部を着用者の陰部等の排泄部に対して容易に位置合わせできる。
【００５５】
なお、上述の第１及び第２実施形態では、本発明に係る技術をテープ型又はパンツ型のおむつ等の股部に敷き込まれて使用されるパット型のおむつに適用した例について示したが、本発明に係る技術をテープ型のおむつ又はパンツ型のおむつに適用してもよい。あるいは、本発明に係る技術を生理用ナプキンに適用してもよい。
【符号の説明】
【００５６】
１  使い捨ておむつ、１１  内装材、１２  外装材、１３  吸収コア、１６  トップシート、１７  サイドシート、１８  弾性部材、１９  バックシート、２１  繊維集合体、２１ａ  肌面側表面、２１ｂ，２１ｃ  縁部、２１ｄ  外面側表面、２１ｅ，２１ｆ  端部、２２  第１シート体、２３  第２シート体、２２１，２２２  部分、２２４  端部。
【図１】
2010178916.tif 000003
【図２】
2010178916.tif 000004
【図３】
2010178916.tif 000005
【図４】
2010178916.tif 000006
【図５】
2010178916.tif 000007
【図６】
2010178916.tif 000008
【図７】
2010178916.tif 000009
【図８】
2010178916.tif 000010
【図９】
2010178916.tif 000011